(57)【要約】【課題】放射性薬剤の投与作業時に被検査者から放射される放射線を遮蔽することができ、施術者の被爆を防ぐことができる放射線防護設備を提供する。【解決手段】放射線防護設備１０Ａは、屏障具１１と注射台１２とから形成されている。屏障具１１は、キャスター２１を備えた台座１３と、上下方向へ高さを調節可能なシャフト３３と、シャフト３３の上方へ延びる所定面積の放射線遮蔽衝立１５とから形成されている。注射台１２は、前後方向へ延びる所定面積の放射線遮蔽天板４９と、屏障具１１の支持部材と並行して放射線遮蔽天板４９の前端部から下方へ延びる所定面積の放射線遮蔽側板５０とを有する。【選択図】図１３
2013015369.tif 000002
【特許請求の範囲】
【請求項１】
所定の検査に使用される放射性薬剤を被検査者に投与する施術者の被爆を防ぐ放射線防護設備において、
前記放射線防護設備が、前記被検査者と前記施術者との間に配置されて該被検査者から放射される放射線を遮蔽する屏障具であり、前記屏障具が、それを移動させるキャスターを備えた台座と、前記台座から上方へ延びていて昇降機構を介して上下方向へ高さを調節可能な支持部材と、前記支持部材の上端部に設置されて該支持部材の上方へ延びる所定面積の放射線遮蔽衝立とから形成されていることを特徴とする放射線防護設備。
【請求項２】
前記屏障具が、前記支持部材の上端部に旋回手段を介して設置されて前記放射線遮蔽衝立の前後方向前方と前後方向後方との少なくとも一方へ延びる所定面積の物置台を備え、前記物置台が、前記旋回手段を中心に前記支持部材の上端部から下端部に向かって旋回可能である請求項１に記載の放射線防護設備。
【請求項３】
前記台座には、前記屏障具のキャスターによる移動を停止させるストッパーが設置されている請求項１または請求項２に記載の放射線防護設備。
【請求項４】
前記放射線遮蔽衝立の高さ寸法が、４０〜８０ｃｍの範囲、前記放射線遮蔽衝立の幅寸法が、３０〜５０ｃｍの範囲にある請求項１ないし請求項３いずれかに記載の放射線防護設備。
【請求項５】
前記放射線防護設備が、前記被検査者と前記屏障具との間に配置されて該被検査者から放射される放射線を遮蔽する注射台を含み、前記注射台が、前記放射性薬剤の投与時に被検査者の腕を乗せる所定面積の放射線遮蔽天板と、前記被検査者の前方に設置されて前記放射線遮蔽天板から下方へ延びる所定面積の放射線遮蔽側板と、前記放射線遮蔽天板の上面に交換可能に載置されて該天板にこぼれた前記放射性薬剤を吸い取るシートと、前記放射線遮蔽天板の一側縁部に旋回手段を介して設置されたフレームとを有し、前記注射台では、前記旋回手段を中心に前記フレームを前記放射線遮蔽天板の上面から上方へ旋回させることが可能であり、前記フレームを前記放射線遮蔽天板の上面に旋回させたときに該フレームが該天板の周縁部に当接しつつ前記シートを押さえ、該シートが前記放射線遮蔽天板の上面に固定される請求項１ないし請求項４いずれかに記載の放射線防護設備。
【請求項６】
前記注射台が、それを移動させることが可能なキャスターを備えた台座を有し、前記放射線遮蔽天板と前記放射線遮蔽側板とが、前記台座に設置されている請求項５に記載の放射線防護設備。
【請求項７】
前記台座には、前記注射台のキャスターによる移動を停止させるストッパーが設置されている請求項６に記載の放射線防護設備。
【請求項８】
前記放射線遮蔽天板と前記放射線遮蔽側板との幅寸法が、３０〜７０ｃｍの範囲、前記放射線遮蔽天板の長さ寸法が、３０〜５０ｃｍの範囲、前記放射線遮蔽側板の高さ寸法が、５０〜８０ｃｍの範囲にある請求項５ないし請求項７いずれかに記載の放射線防護設備。
【請求項９】
前記放射線遮蔽衝立と前記放射線遮蔽天板と前記放射線遮蔽側板とが、鉛板または放射線遮蔽ガラスから作られている請求項５ないし請求項８いずれかに記載の放射線防護設備。
【請求項１０】
所定の検査に使用される放射性薬剤を被検査者に投与する施術者の被爆を防ぐ放射線防護設備において、
前記放射線防護設備が、注射台と、前記注射台を挟んで前記被検査者の反対側に位置する屏障具とから形成され、前記注射台が、前後方向へ延びていて前記放射性薬剤の投与時に被検査者の腕を乗せる所定面積の放射線遮蔽天板と、前記被検査者の前方に設置され、前記放射線遮蔽天板から下方へ延びる所定面積の放射線遮蔽側板とを有し、
前記屏障具が、前記放射線遮蔽側板を挟んで前記被検査者の反対側に位置し、昇降機構を介して上下方向へ高さを調節可能な支持部材と、前記支持部材の上端部に設置されて該支持部材の上方へ延びる所定面積の放射線遮蔽衝立と、前記支持部材の上端部に旋回手段を介して設置されて前記放射線遮蔽衝立の前後方向後方へ延びる所定面積の物置台とを有し、前記物置台が、前記旋回手段を中心に前記支持部材の上端部から下端部に向かって旋回可能であることを特徴とする放射線防護設備。
【請求項１１】
前記注射台と前記屏障具とが、それらを移動させるキャスターを備えた台座に設置されている請求項１０に記載の放射線防護設備。
【請求項１２】
前記台座には、前記注射台と前記屏障具とのキャスターによる移動を停止させるストッパーが設置されている請求項１１に記載の放射線防護設備。
【請求項１３】
前記放射線遮蔽衝立の高さ寸法が、４０〜８０ｃｍの範囲、前記放射線遮蔽衝立の幅寸法が、３０〜５０ｃｍの範囲にあり、前記放射線遮蔽天板と前記放射線遮蔽側板との幅寸法が、３０〜７０ｃｍの範囲であって、前記放射線遮蔽衝立の幅寸法と同一またはそれよりも大きく、前記放射線遮蔽天板の長さ寸法が、３０〜５０ｃｍの範囲、前記放射線遮蔽側板の高さ寸法が、５０〜８０ｃｍの範囲にある請求項１０ないし請求項１２いずれかに記載の放射線防護設備。
【請求項１４】
前記放射線遮蔽衝立と前記放射線遮蔽天板と前記放射線遮蔽側板とが、鉛板または放射線遮蔽ガラスから作られている請求項１０ないし請求項１３いずれかに記載の放射線防護設備。
【請求項１５】
前記放射性薬剤が、１８Ｆ−２−フルオロ−２−デオキシグルコース注射液である請求項１ないし請求項１４いずれかに記載の放射線防護設備。
【発明の詳細な説明】
【技術分野】
【０００１】
本発明は、所定の検査に使用される放射性薬剤の被検査者への注射時や注射針の抜針に施術者の被爆を防ぐ放射線防護設備に関する。
【背景技術】
【０００２】
注射台と、その一端部に設置されて注射台から上方へ延びる放射線遮蔽板とから形成され、その放射線遮蔽板に被検査者の腕を挿通可能なシャッター付き開口を備えた放射線防護用具がある（特許文献１参照）。放射線防護用具は、注射台の上に被検査者の腕を乗せ、被検査者の拳をシャッター付き開口へ通した後、施術者が注射器によって放射性薬剤を被検査者に投与する。この放射線防護用具は、被検査者への注射時に注射器から放射される放射線が放射線遮蔽板によって遮蔽されるから、施術者が放射線に曝露されることはなく、施術者の放射線被曝を防ぐことができる。
【先行技術文献】
【特許文献】
【０００３】
【特許文献１】実登３０２５５８９号公報
【発明の概要】
【発明が解決しようとする課題】
【０００４】
前記特許文献１に開示の放射線防護用具を利用した検査では、施術者が被検査者の腕の静脈に放射性薬剤を注射した後、被検査者の腕から注射針を抜針する。放射性薬剤の投与後の注射針の抜針時に被検査者の全身から放射線が放射されるが、この放射線を遮蔽しなければ、施術者が被爆する恐れがある。前記特許文献１に開示の放射線防護用具は、注射器から放射させる放射線を遮蔽することはできるが、シャッター付き開口へ被検査者の拳を通した状態で放射性薬剤を被検査者に注射するから、被検査者の拳から放射される放射線を遮蔽することができず、施術者が拳から放射される放射線によって被爆する場合がある。また、この放射線防護用具は、放射性薬剤の投与作業時に被検査者の全身から放射される放射線を遮蔽することができず、施術者が被検査者の全身から放射される放射線によって被爆する場合がある。
【０００５】
本発明の目的は、放射性薬剤の投与作業時に被検査者から放射される放射線を遮蔽することができ、施術者の被爆を防ぐことができる放射線防護設備を提供することにある。
【課題を解決するための手段】
【０００６】
前記課題を解決するための本発明の前提は、所定の検査に使用される放射性薬剤を被検査者に投与する施術者の被爆を防ぐ放射線防護設備である。
【０００７】
前記前提における本発明の第１の特徴は、放射線防護設備が被検査者と施術者との間に配置されて被検査者から放射される放射線を遮蔽する屏障具であり、屏障具が、それを移動させるキャスターを備えた台座と、台座から上方へ延びていて昇降機構を介して上下方向へ高さを調節可能な支持部材と、支持部材の上端部に設置されて支持部材の上方へ延びる所定面積の放射線遮蔽衝立とから形成されていることにある。
【０００８】
前記第１の特徴を有する本発明の一例としては、屏障具が支持部材の上端部に旋回手段を介して設置されて放射線遮蔽衝立の前後方向前方と前後方向後方との少なくとも一方へ延びる所定面積の物置台を備え、物置台が旋回手段を中心に支持部材の上端部から下端部に向かって旋回可能である。
【０００９】
前記第１の特徴を有する本発明の他の一例として、台座には、屏障具のキャスターによる移動を停止させるストッパーが設置されている。
【００１０】
前記第１の特徴を有する本発明の他の一例としては、放射線遮蔽衝立の高さ寸法が４０〜８０ｃｍの範囲、放射線遮蔽衝立の幅寸法が３０〜５０ｃｍの範囲にある。
【００１１】
前記第１の特徴を有する本発明の他の一例としては、放射線防護設備が被検査者と屏障具との間に配置されて被検査者から放射される放射線を遮蔽する注射台を含み、注射台が、放射性薬剤の投与時に被検査者の腕を乗せる所定面積の放射線遮蔽天板と、被検査者の前方に設置されて放射線遮蔽天板から下方へ延びる所定面積の放射線遮蔽側板と、放射線遮蔽天板の上面に交換可能に載置されて天板にこぼれた放射性薬剤を吸い取るシートと、放射線遮蔽天板の一側縁部に旋回手段を介して設置されたフレームとを有し、注射台では、旋回手段を中心にフレームを放射線遮蔽天板の上面から上方へ旋回させることが可能であり、フレームを放射線遮蔽天板の上面に旋回させたときにフレームが天板の周縁部に当接しつつシートを押さえ、シートが放射線遮蔽天板の上面に固定される。
【００１２】
前記第１の特徴を有する本発明の他の一例としては、注射台がそれを移動させることが可能なキャスターを備えた台座を有し、放射線遮蔽天板と放射線遮蔽側板とが台座に設置されている。
【００１３】
前記第１の特徴を有する本発明の他の一例として、台座には、注射台のキャスターによる移動を停止させるストッパーが設置されている。
【００１４】
前記第１の特徴を有する本発明の他の一例としては、放射線遮蔽天板と放射線遮蔽側板との幅寸法が３０〜７０ｃｍの範囲、放射線遮蔽天板の長さ寸法が３０〜５０ｃｍの範囲、放射線遮蔽側板の高さ寸法が５０〜８０ｃｍの範囲にある。
【００１５】
前記第１の特徴を有する本発明の他の一例としては、放射線遮蔽衝立と放射線遮蔽天板と放射線遮蔽側板とが鉛板または放射線遮蔽ガラスから作られている。
【００１６】
前記前提における本発明の第２の特徴は、放射線防護設備が注射台と注射台を挟んで被検査者の反対側に位置する屏障具とから形成され、注射台が、前後方向へ延びていて放射性薬剤の投与時に被検査者の腕を乗せる所定面積の放射線遮蔽天板と、被検査者の前方に設置され、放射線遮蔽天板から下方へ延びる所定面積の放射線遮蔽側板とを有し、屏障具が、放射線遮蔽側板を挟んで被検査者の反対側に位置し、昇降機構を介して上下方向へ高さを調節可能な支持部材と、支持部材の上端部に設置されて支持部材の上方へ延びる所定面積の放射線遮蔽衝立と、支持部材の上端部に旋回手段を介して設置されて放射線遮蔽衝立の前後方向後方へ延びる所定面積の物置台とを有し、物置台が旋回手段を中心に支持部材の上端部から下端部に向かって旋回可能であることにある。
【００１７】
前記第２の特徴を有する本発明の一例としては、注射台と屏障具とがそれらを移動させるキャスターを備えた台座に設置されている。
【００１８】
前記第２の特徴を有する本発明の他の一例として、台座には、注射台と屏障具とのキャスターによる移動を停止させるストッパーが設置されている。
【００１９】
前記第２の特徴を有する本発明の他の一例としては、放射線遮蔽衝立の高さ寸法が４０〜８０ｃｍの範囲、放射線遮蔽衝立の幅寸法が３０〜５０ｃｍの範囲にあり、放射線遮蔽天板と放射線遮蔽側板との幅寸法が３０〜７０ｃｍの範囲であって放射線遮蔽衝立の幅寸法と同一またはそれよりも大きく、放射線遮蔽天板の長さ寸法が３０〜５０ｃｍの範囲、放射線遮蔽側板の高さ寸法が５０〜８０ｃｍの範囲にある。
【００２０】
前記第２の特徴を有する本発明の他の一例としては、放射線遮蔽衝立と放射線遮蔽天板と放射線遮蔽側板とが鉛板または放射線遮蔽ガラスから作られている。
【００２１】
前記第１および第２の特徴を有する本発明の他の一例としては、放射性薬剤が１８Ｆ−２−フルオロ−２−デオキシグルコース注射液である。
【発明の効果】
【００２２】
第１の特徴を有する放射線防護設備によれば、屏障具を注射台の近傍に移動させ、注射台を利用して施術者が被検査者に放射性薬剤を投与する場合において、放射性薬剤の注射時や投与後の注射針の抜針時に被検査者から放射される放射線が屏障具の放射線遮蔽衝立によって遮蔽されるから、被検査者から放射される放射線に施術者が曝露されることはなく、施術者の被爆を防ぐことができる。放射線防護設備は、施術者が注射針の抜針のために被検査者に近づくときに、被検査者から放射される放射線を防御しつつ被検査者に近づくことができ、抜針の後に被検査者から放射される放射線を防御しつつ被検査者から離れることができる。放射線防護設備は、支持部材が昇降機構を介して上下方向へ高さを調節可能であり、施術者の身長に合わせて放射線遮蔽衝立の高さを調節することができるから、放射線遮蔽衝立を利用して施術者を隠すことができ、被検査者から放射される放射線による施術者の被爆を確実に防ぐことができる。放射線防護設備は、屏障具がキャスターを備えた台座を有し、キャスターを利用して屏障具を自由に移動させることができるから、屏障具を被検査者から最適な距離に移動させることができる。
【００２３】
第１の特徴を有する放射線防護設備において、屏障具が支持部材の上端部に設置されて放射線遮蔽衝立の前後方向前方と前後方向後方との少なくとも一方へ延びる所定面積の物置台を備え、物置台が支持部材の上端部から下端部に向かって旋回可能な防護設備は、屏障具に物置台を設置することで、検査に必要な医療用具を物置台に置くことができるから、放射性薬剤の注射時や投与後の注射針の抜針時等の薬剤投与作業にそれら医療用具を利用することができ、物置台に置かれた医療用具を使用して注射や抜針を円滑に行うことができる。放射線防護設備は、物置台を支持部材の下端部へ旋回させることができるから、物置台の非利用時に物置台を畳むことができ、注射時や抜針時に物置台が邪魔をすることはなく、注射や抜針を円滑に行うことができる。
【００２４】
第１の特徴を有する放射線防護設備において、屏障具のキャスターによる移動を停止させるストッパーが台座に設置された防護設備は、ストッパーを利用して屏障具を被検査者の近傍において停止させることができ、放射性薬剤の注射時や投与後の注射針の抜針時等の薬剤投与作業における屏障具の不用意な移動を防止することができる。放射線防護設備は、ストッパーによって屏障具の動きを止めた状態で、放射性薬剤の注射や注射針の抜針を行うことができるから、被検査者の安全を保持しつつ放射性薬剤の投与作業を行うことができる。
【００２５】
第１の特徴を有する放射線防護設備において、放射線遮蔽衝立の高さ寸法が４０〜８０ｃｍの範囲、放射線遮蔽衝立の幅寸法が３０〜５０ｃｍの範囲にある放射線防護設備は、施術者が被検査者に放射性薬剤を投与する場合において、前記高さ寸法および幅寸法を有する放射線遮蔽衝立が被検査者の上半身から放射される放射線の施術者の上半身への被爆を防ぐから、放射性薬剤の注射時や投与後の注射針の抜針時等の薬剤投与作業において被検査者から放射される放射線に施術者が曝露されることはなく、施術者の被爆を確実に防ぐことができる。
【００２６】
第１の特徴を有する放射線防護設備において、放射線防護設備が被検査者と屏障具との間に配置されて被検査者から放射される放射線を遮蔽する注射台を含む放射線防護設備は、施術者が被検査者に放射性薬剤を投与する場合のその投与作業時において、被検査者から放射線が放射されたとしても、屏障具の放射線遮蔽衝立が被検査者の上半身から放射される放射線の施術者の上半身への被爆を防ぎ、注射台に設置された放射線遮蔽天板が被検査者の下半身から放射される放射線の施術者の上半身への被爆を防ぐとともに、注射台に設置された放射線遮蔽側板が被検査者の下半身から放射される放射線の施術者の下半身への被爆を防ぐから、放射性薬剤の注射時や投与後の注射針の抜針時に被検査者から放射される放射線に施術者が曝露されることはなく、施術者の被爆を防ぐことができる。放射線防護設備は、注射台が放射線遮蔽天板にこぼれた放射性薬剤を吸い取るシートと放射線遮蔽天板の一側縁部に旋回手段を介して設置されたフレームとを有し、フレームを放射線遮蔽天板の上面に旋回させたときにフレームがシートを押さえるから、シートが放射線遮蔽天板の上面に固定され、放射性薬剤の投与作業時に薬剤が誤って天板にこぼれたとしても、その薬剤をシートに吸収させることができる。放射線防護設備は、フレームを放射線遮蔽天板の上面から上方へ旋回させ、フレームによるシートの固定を解除した後、放射性薬剤を吸収したシートを新しいそれに交換することができ、放射線遮蔽天板を薬剤によって汚染されていない清潔な状態で使用することができる。放射線防護設備は、注射台の放射線遮蔽天板に誤って放射性薬剤をこぼしたとしても、薬剤を吸収したシートを交換することで、天板を清潔に保持することができるから、天板にこぼれた薬剤による被検査者や施術者の放射線の被曝を防ぐことができる。
【００２７】
第１の特徴を有する放射線防護設備において、注射台がそれを移動させることが可能なキャスターを備えた台座を有し、放射線遮蔽天板と放射線遮蔽側板とが台座に設置されている放射線防護設備は、キャスターを利用して注射台を移動させることができるから、１台の注射台を別々の被検査者の近傍に移動させつつ、それら被検査者に対して放射性薬剤の投与作業を行うことができる。放射線防護設備は、施術者が注射針の抜針のために被検査者に近寄るときに、注射台を利用して被検査者から放射される放射線を防御しつつ被検査者に近づくことができ、抜針の後に注射台を利用して被検査者から放射される放射線を防御しつつ被検査者から離れることができる。
【００２８】
第１の特徴を有する放射線防護設備において、注射台のキャスターによる移動を停止させるストッパーが台座に設置されている放射線防護設備は、ストッパーを利用して注射台を被検査者の近傍において停止させることができ、放射性薬剤の注射時や投与後の注射針の抜針時等の薬剤投与作業における注射台の不用意な移動を防止することができる。放射線防護設備は、ストッパーによって注射台の動きを止めた状態で、放射性薬剤の注射や注射針の抜針を行うことができるから、被検査者の安全を保持しつつ放射性薬剤の投与作業を行うことができる。
【００２９】
第１の特徴を有する放射線防護設備において、放射線遮蔽天板と放射線遮蔽側板との幅寸法が３０〜７０ｃｍの範囲、放射線遮蔽天板の長さ寸法が３０〜５０ｃｍの範囲、放射線遮蔽側板の高さ寸法が５０〜８０ｃｍの範囲にある放射線防護設備は、施術者が被検査者に放射性薬剤を投与する場合において、前記幅寸法と前記長さ寸法とを有する放射線遮蔽天板が被検査者の下半身から放射される放射線の施術者の上半身への被爆を防ぐとともに、前記幅寸法と前記高さ寸法とを有する放射線遮蔽側板が被検査者の下半身から放射される放射線の施術者の下半身への被爆を防ぐから、放射性薬剤の注射時や投与後の注射針の抜針時等の薬剤投与作業において被検査者の全身から放射される放射線に施術者が曝露されることはなく、施術者の被爆を確実に防ぐことができる。
【００３０】
第１の特徴を有する放射線防護設備において、放射線遮蔽衝立が鉛板または放射線遮蔽ガラスから作られている放射線防護設備は、被検査者から放射される放射線が鉛板や放射線遮蔽ガラスから作られた衝立や天板、側板によって確実に遮蔽され、被検査者から放射される放射線に施術者が曝露されることはなく、施術者の被爆を防ぐことができる。なお、放射線遮蔽衝立が放射線遮蔽ガラスから作られている場合は、放射線遮蔽ガラスによって施術者の上半身全体が隠れたとしても、施術者がガラス越しに被検査者や注射台を見ることができ、放射性薬剤の投与作業を支障なく行うことができる。放射線防護設備は、施術者の頭部を含む上半身全体および下半身を放射線から遮蔽することができ、放射性薬剤の注射時や投与後の注射針の抜針時に被検査者の全身から放射される放射線に施術者の上半身全体や下半身が曝露されることはなく、施術者の被爆を確実に防ぐことができる。
【００３１】
第２の特徴を有する放射線防護設備によれば、施術者が被検査者に放射性薬剤を投与する場合の薬剤投与作業時において、被検査者の全身から放射線が放射されたとしても、屏障具の放射線遮蔽衝立が被検査者の上半身から放射される放射線の施術者の上半身への被爆を防ぎ、注射台に設置された放射線遮蔽天板が被検査者の下半身から放射される放射線の施術者の上半身への被爆を防ぐとともに、注射台に設置された放射線遮蔽側板が被検査者の下半身から放射される放射線の施術者の下半身への被爆を防ぐから、放射性薬剤の注射時や投与後の注射針の抜針時に被検査者の全身から放射される放射線に施術者が曝露されることはなく、施術者の被爆を確実に防ぐことができる。放射線防護設備は、支持部材が昇降機構を介して上下方向へ高さを調節可能であり、施術者の身長に合わせて放射線遮蔽衝立の高さを調節することができるから、放射線遮蔽衝立を利用して施術者を隠すことができ、被検査者から放射される放射線による施術者の被爆を確実に防ぐことができる。
【００３２】
第２の特徴を有する放射線防護設備において、注射台と屏障具とがそれらを移動させるキャスターを備えた台座に設置されている放射線防護設備は、キャスターを利用して注射台および屏障具を同時に移動させることができるから、注射台と屏障具とを別々に被検査者の近傍に移動させる手間を省くことができ、放射性薬剤の投与作業を円滑に行うことができる。放射線防護設備は、施術者が注射針の抜針のために被検査者に近寄るときに、被検査者から放射される放射線を防御しつつ被検査者に近づくことができ、抜針の後に被検査者から放射される放射線を防御しつつ被検査者から離れることができる。
【００３３】
第２の特徴を有する放射線防護設備において、注射台と屏障具とのキャスターによる移動を停止させるストッパーが台座に設置されている放射線防護設備は、ストッパーを利用して注射台および屏障具を被検査者の近傍において停止させることができ、放射性薬剤の注射時や投与後の注射針の抜針時における注射台および屏障具の不用意な移動を防止することができる。放射線防護設備は、ストッパーによって注射台および屏障具の動きを止めた状態で、放射性薬剤の注射や注射針の抜針等の薬剤投与作業を行うことができるから、被検査者の安全を保持しつつ放射性薬剤の投与作業を行うことができる。
【００３４】
第２の特徴を有する放射線防護設備において、放射線遮蔽衝立の高さ寸法が４０〜８０ｃｍの範囲、放射線遮蔽衝立の幅寸法が３０〜５０ｃｍの範囲にあり、放射線遮蔽天板と放射線遮蔽側板との幅寸法が３０〜７０ｃｍの範囲であって放射線遮蔽衝立の幅寸法と同一またはそれよりも大きく、放射線遮蔽天板の長さ寸法が３０〜５０ｃｍの範囲、放射線遮蔽側板の高さ寸法が５０〜８０ｃｍの範囲にある放射線防護設備は、施術者が被検査者に放射性薬剤を投与する場合において、前記高さ寸法および幅寸法を有する放射線遮蔽衝立が被検査者の上半身から放射される放射線の施術者の上半身への被爆を防ぎ、前記幅寸法および前記長さ寸法を有する放射線遮蔽天板が被検査者の下半身から放射される放射線の施術者の上半身への被爆を防ぐとともに、前記幅寸法および前記高さ寸法を有する放射線遮蔽側板が被検査者の下半身から放射される放射線の施術者の下半身への被爆を防ぐから、放射性薬剤の注射時や投与後の注射針の抜針時等の薬剤投与作業において被検査者の全身から放射される放射線に施術者が曝露されることはなく、施術者の被爆を確実に防ぐことができる。
【００３５】
第２の特徴を有する放射線防護設備において、放射線遮蔽衝立と放射線遮蔽天板と放射線遮蔽側板とが鉛板または放射線遮蔽ガラスから作られている放射線防護設備は、被検査者から放射される放射線が鉛板や放射線遮蔽ガラスから作られた衝立や天板、側板によって確実に遮蔽され、被検査者から放射される放射線に施術者が曝露されることはなく、施術者の被爆を防ぐことができる。なお、放射線遮蔽衝立が放射線遮蔽ガラスから作られている場合は、放射線遮蔽ガラスによって施術者の上半身全体が隠れたとしても、施術者がガラス越しに被検査者や注射台を見ることができ、放射性薬剤の投与作業を支障なく行うことができる。放射線防護設備は、施術者の頭部を含む上半身全体を放射線から遮蔽することができ、放射性薬剤の注射時や投与後の注射針の抜針時に被検査者の全身から放射される放射線に施術者の上半身全体が曝露されることはなく、施術者の被爆を確実に防ぐことができる。
【００３６】
第１および第２の特徴を有する放射線防護設備において、放射性薬剤が１８Ｆ−２−フルオロ−２−デオキシグルコース注射液である放射線防護設備は、１８Ｆ−２−フルオロ−２−デオキシグルコース注射液を被検査者に投与すると、被検査者の全身から放射線が放射されるが、放射性薬剤の注射時や投与後の注射針の抜針時等の薬剤投与作業に被検査者から放射される放射線が放射線遮蔽衝立や放射線遮蔽天板、放射線遮蔽側板によって遮蔽されるから、被検査者から放射される放射線に施術者が曝露されることはなく、施術者の被爆を防ぐことができる。
【図面の簡単な説明】
【００３７】
【図１】一例として示す屏障具の斜視図。
【図２】屏障具の正面図。
【図３】屏障具の側面図。
【図４】屏障具の側面図。
【図５】フロアストッパーの拡大図。
【図６】フロアストッパーの拡大図。
【図７】一例として示す注射台の斜視図。
【図８】注射台の背面図。
【図９】注射台の側面図。
【図１０】注射台の使用例を説明する図。
【図１１】注射台の使用例を説明する図。
【図１２】放射性薬剤の投与作業の準備の説明図。
【図１３】放射性薬剤の投与作業の一例を説明する図。
【図１４】他の一例として示す放射線防護設備の斜視図。
【図１５】図１４の放射線防護設備の側面図。
【図１６】放射性薬剤の投与作業の一例を説明する図。
【発明を実施するための形態】
【００３８】
一例として示す屏障具１１の斜視図である図１等の添付の図面を参照し、本発明にかかる放射線防護設備の詳細を説明すると、以下のとおりである。なお、図２は、屏障具１１の正面図であり、図３，４は、屏障具１１の側面図である。図５，６は、フロアストッパー２２の拡大図である。図１では、上下方向を矢印Ｌ、前後方向を矢印Ｍで示し、幅方向を矢印Ｎで示す。図４では、図３と比較し、シャフト３３（支持部材１４）を上下方向上方へ伸ばし、放射線遮蔽衝立１５の高さを高くした状態を二点鎖線で示す。図６は、ストッパー２２によって屏障具１１の動きが停止している状態を示す。
【００３９】
放射線防護設備１０Ａは、放射性薬剤を使用した検査において、被検査者１７から放射される放射線を遮蔽し、施術者１８被爆を防ぐために利用される。放射性薬剤としては１８Ｆ−２−フルオロ−２−デオキシグルコース注射液（以下、ＦＤＧ注射液）を例示することができるが、放射性薬剤に特に限定はなく、全てのインビボ診断薬が含まれる。放射性薬剤を使用した検査には、インビボ診断薬を使用する全ての検査が含まれ、悪性腫瘍の診断、虚血性心疾患の診断、難治性部分てんかんの診断等がある。この放射線防護設備１０Ａは、屏障具１１と注射台１２とから構成されている（図１２参照）。なお、放射線防護設備１０Ａが屏障具１１のみから構成される場合もある。
【００４０】
屏障具１１は、台座１３および支持部材１４と、放射線遮蔽衝立１５および物置台１６とから形成され、注射台１２を挟んで被検査者１７と施術者１８との間に配置される（図１３参照）。台座１３は、ステンレスから作られ、台中央部１９と、台中央部１９から径方向外方へ延びる４本の脚部２０とを備えている。それら脚部２０の先端部分には、屏障具１１を移動可能に支持するキャスター２１が設置されている。
【００４１】
台中央部１９には、屏障具１１の動きを停止させるストッパー２２が設置されている。キャスター２１は、取付ボルトを介して脚部２０の先端部分に回転可能に取り付けられている。屏障具１１は、キャスター２１を介して自由に移動させることができる。なお、図示はしていないが、キャスター２１には、車輪の回転を停止させるストッパーが設置されている。
【００４２】
ストッパー２２は、図５に示すように、台座１３の台中央部１９の下方に取り付けられている。ストッパー２２には、既存のフロアストッパー２２が利用されている。フロアストッパー２２は、上下方向へ延びる軸脚２３、軸脚２３の上端に位置する取付金具２４、軸脚２３の下端に位置する設置金具２５、ロック用レバー２６、解除用レバー２７を備えている。フロアストッパー２２は、その取付金具２４が固定手段（溶接やボルト締め等）を介して台座１３の台中央部１９に固定されている。軸脚２３には、スプリング２８が内蔵され、設置金具２５の下面には、ラバー２９が貼り付けられている。
【００４３】
フロアストッパー２２では、図６に示すように、ロック用レバー２６を足で踏み込んでレバー２６を下方へ下げると、解除用レバー２７が上方へ移動するとともに、軸脚２３がスプリング２８の弾性力に抗して下方へ伸び、設置金具２５（ラバー２９）が路面３０に接地して路面３０をグリップし、キャスター２１による屏障具１１の移動を停止させる。設置金具２５による路面３０のグリップを解除するには、解除用レバー２７を足で踏み込んでレバー２７を下方へ下げる。解除用レバー２７を下方へ下げると、ロックレバー２６が上方へ移動するとともに、軸脚２３がスプリング２８の弾性力によって上方へ引っ込み、設置金具２５が路面３０の上方へ移動し、設置金具２５による路面３０のグリップが解除される。
【００４４】
支持部材１４は、台座１３の台中央部１９の直上に設置された筒状の金属製筐体３１と、筐体３１の直上に設置された上下方向へ長い金属製筒体３２と、筐体３１および筒体３２に挿通された金属製シャフト３３とから形成されている。筐体３１には、既存のスクリュージャッキ（昇降機構）（図示せず）が内蔵され、スクリュージャッキを作動させるスポークハンドル３４が取り付けられている。スクリュージャッキは、シャフト３３（支持部材１４）を上下方向上方と上下方向下方とへ移動させ、シャフト３３の上下方向の高さを調節し、放射線遮蔽衝立１５の路面３０からの高さを調整する。
【００４５】
たとえば、スポークハンドル３４を時計回り方向へ回転させると、シャフト３３が上下方向上方へ次第に移動し、図４に二点鎖線で示すように、放射線遮蔽衝立１５の路面３０からの高さを高くすることができ、逆に、ハンドル３４を反時計回り方向へ回転させると、シャフト３３が上下方向下方へ次第に移動し、衝立１５の路面３０からの高さを低くすることができる。
【００４６】
筒体３２は、シャフト３３の折れ曲がりを防ぐ保護筒として機能するほか、スクリュージャッキによるシャフト３３の移動を停止させ、放射線遮蔽衝立１５の路面３０からの高さを一定に保持する。筒体３２は、その下端部が固定手段（溶接やボルト締め等）を介して筐体３１の上端部に固定されている。筒体３２の上端部には、シャフト３３の上下動を停止させるセットカラー３５（ストッパー）が設置されている。セットカラー３５のボルト３６を締め、セットカラー３５でシャフト３３を締め付けることで、シャフト３３とセットカラー３５（筒体３２）とが固定され、シャフト３３の上下動が阻止される。逆に、セットカラー３５のボルト３６を緩め、シャフト３３とセットカラー３５（筒体３２）との固定を解除することで、スクリュージャッキを利用してシャフト３３を上下方向上方と上下方向下方とへ移動させることができる。
【００４７】
放射線遮蔽衝立１５は、シャフト３３の上端部に設置され、シャフト３３の上端部から上方へ延びている。放射線遮蔽衝立１５は、シャフト３３の上端部に設置された取付台３７の中央に固定手段（溶接やボルト締め等）を介して固定され、取付台３７の幅方向両側から上方へ延びる三角形の２枚の支持板３８に支持されている。放射線遮蔽衝立１５は、所定の面積を有する上下方向へ長い矩形に成型され、幅方向へ延びる上下端部３９，４０と、上下方向へ延びる両側縁部４１，４２とを有する。
【００４８】
放射線遮蔽衝立１５は、上下方向へ長い矩形の鉛板（図示せず）と、鉛板の全体を包被するステンレス製のカバー板４３とから作られている。または、放射線遮蔽ガラス４３（鉛ガラス）から作られている。放射線遮蔽衝立１５は、両側縁部４１，４２の寸法（高さ寸法）が４０〜８０ｃｍの範囲にある。放射線遮蔽衝立１５が鉛板とカバー板４３とから作られている場合、両側縁部４１，４２の寸法は５０ｃｍが好ましい。放射線遮蔽衝立１５が放射線遮蔽ガラス４３から作られている場合、両側縁部４１，４２の寸法は７０〜８０ｃｍが好ましく、両側縁部４１，４２の寸法を７０〜８０ｃｍにすることで、施術者１８の頭部を含む上半身全体を放射線遮蔽衝立１５によって隠すことができる。放射線遮蔽衝立１５は、上下端部３９，４０の寸法（幅寸法）が３０〜５０ｃｍの範囲、好ましくは、４０ｃｍである。鉛板は、その厚みが３〜５ｍｍの範囲、好ましくは、３ｍｍである。放射線遮蔽ガラス４３は、その厚みが４〜６ｍｍの範囲にある。
【００４９】
放射線遮蔽衝立１５の両側縁部４１，４２の寸法（高さ寸法）が４０ｃｍ未満であって、上下端部３９，４０の寸法（幅寸法）が３０ｃｍ未満では、衝立１５の面積が小さくなり、衝立１５によって施術者１８の上半身を隠すことができず、施術者１８の放射線による被曝を防ぐことが難しい。放射線遮蔽衝立１５の両側縁部４１，４２の寸法が８０ｃｍを超過し、上下端部３９，４０の寸法が５０ｃｍを超過すると、衝立１５の面積が必要以上に大きくなり、施術者１８の作業が衝立１５によって邪魔され、衝立１５が放射性薬剤の投与作業の障害となる場合がある。鉛板の厚みが３ｍｍ未満または放射線遮蔽ガラス４３の厚みが４ｍｍ未満では、放射線遮蔽衝立１５によって放射線を確実に遮蔽することができない場合がある。鉛板の厚みが５ｍｍを超過すると、屏障具１１の重量が増し、屏障具１１を円滑に移動させることができない場合がある。
【００５０】
屏障具１１は、放射線遮蔽衝立１５の高さ寸法と幅寸法とが前記範囲にあるから、衝立１５によって施術者１８を十分に隠すことができ、衝立１５を利用して施術者１８の被爆を防ぐことができる。特に放射線遮蔽衝立１５が放射線遮蔽ガラス４３から作られている場合であって、両側縁部４１，４２の寸法（高さ寸法）が７０〜８０ｃｍの場合は、施術者１８の頭部を含む上半身全体を衝立１５によって隠すことができるから、施術者１８の頭部を含む上半身全体を放射線から遮蔽することができ、放射線に施術者１８の上半身全体が曝露されることはなく、施術者１８の被爆を確実に防ぐことができる。屏障具１１は、鉛板や放射線遮蔽ガラス４３の厚みが前記範囲にあるから、放射線を十分に遮蔽することができるとともに、屏障具１１の重量が必要以上に増加することはなく、屏障具１１を自由に動かすことができる。
【００５１】
物置台１６（可倒テーブル）は、シャフト３３（支持部材１４）の上端部に設置されている。物置台１６は、放射線遮蔽衝立１５の前後方向前方へ延びる第１物置台１６Ａと、衝立１５の前後方向後方へ延びる第２物置台１６Ｂとから形成されている。それら物置台１６Ａ，１６Ｂは、その幅寸法が放射線遮蔽衝立１５の上下端部３９，４０の寸法（幅寸法）と略同一であり、図３に矢印で示すように、テーブル金具４４（旋回手段）を利用して支持部材１４の上端部から下端部に向かって旋回させることができる。テーブル金具４４は、その固定部４５が取付台３７にビス（図示せず）によって固定されている。それら物置台１６Ａ，１６Ｂは、テーブル金具４４の旋回部４６にビス（図示せず）によって固定されている。
【００５２】
図３に二点鎖線で示すように、物置台１６Ａ，１６Ｂが支持部材１４の下端部へ旋回した状態から、図３に実線で示すように、物置台１６Ａ，１６Ｂを支持部材１４の上端部へ向かって旋回させ、物置台１６Ａ，１６Ｂが略水平になると、テーブル金具４４のロック機構（図示せず）が作動し、テーブル金具４４の旋回部４６の下方への旋回が阻止され、旋回部４６が固定されてそれら物置台１６Ａ，１６Ｂの水平状態が保持される。テーブル金具４４のロック解除ボタン（図示せず）を押すと、ロック機構が解除され、旋回部４６が下方へ旋回し、それにともなって物置台１６Ａ，１６Ｂが支持部材１４の上端部から下端部に向かって旋回し、それら物置台１６Ａ，１６Ｂを畳むことができる。
【００５３】
図７は、一例として示す注射台１２の斜視図であり、図８は、注射台１２の背面図である。図９は、注射台１２の側面図であり、図１０，１１は、注射台１２の使用例を説明する図である。図７では、上下方向を矢印Ｌ、前後方向を矢印Ｍで示し、幅方向を矢印Ｎで示す。図７では、フレーム５２を放射線遮蔽天板４９の上面から上方へ旋回させた状態で示す。図８は、ストッパーによって注射台１２の動きが停止している状態を示す。
【００５４】
注射台１２は、台座４７および天板４８と、放射線遮蔽天板４９および放射線遮蔽側板５０と、シート５１およびフレーム５２とから形成されている。注射台１２は、屏障台１１を挟んで被検査者１７と施術者１８との間に配置される。注射台１２では、放射線遮蔽天板４９と放射線遮蔽側板５０とが椅子５３に腰掛けた被検査者１７の腹部を含む下半身から放射される放射線を遮蔽する略Ｌ字形の放射線バリアを形成している（図１３参照）。
【００５５】
台座４７は、上下方向へ延びるステンレス製の４本の垂直脚５４と、前後方向および幅方向へ延びるステンレス製の補強脚５５と、前後方向へ延びるステンレス製の２本の水平脚５６と、幅方向へ延びるステンレス製の１本の取付脚５７と、水平脚５６に取り付けられた４個のキャスター５８とから作られている。それら脚５４〜５７は、それらの交差部において固定手段（溶接やボルト締め等）を介して連結されている。キャスター５８は、取付ボルト（図示せず）を介してそれら水平脚５６に回転可能に取り付けられている。
【００５６】
注射台１２は、キャスター５８を介して自由に移動させることができる。なお、図示はしていないが、キャスター５８には、車輪の回転を停止させるストッパーが設置されている。台座４７の取付脚５７の幅方向中央には、注射台１２の動きを停止させるフロアストッパー２２が設置されている。フロアストッパー２２は、図５，６に示すそれと同一であるから、図５，６の説明を援用することで、その説明は省略する。
【００５７】
天板４８は、ステンレスから作られ、垂直脚５４に固定手段（溶接やボルト締め等）を介して連結されている。放射線遮蔽天板４９は、天板４８の上部に固定手段（溶接やボルト締め等）を介して固定されている。放射線遮蔽天板４９は、所定の面積を有する幅方向へ長い矩形に成型され、幅方向へ延びる前後端部５９，６０と、前後方向へ延びる両側縁部６１，６２とを有する。
【００５８】
放射線遮蔽天板４９は、上下方向へ長い矩形の鉛板（図示せず）と、鉛板の全体を包被するステンレス製のカバー板６３とから作られている。または、放射線遮蔽ガラス６３（鉛ガラス）から作られている。放射線遮蔽天板４９は、前後端部５９，６０の寸法（幅寸法）が３０〜７０ｃｍの範囲にあり、両側縁部６１，６２の寸法（長さ寸法）が３０〜５０ｃｍの範囲にある。鉛板は、その厚みが３〜５ｍｍの範囲、好ましくは、３ｍｍである。放射線遮蔽ガラス６３は、その厚みが４〜６ｍｍの範囲にある。
【００５９】
放射線遮蔽天板４９の前後端部５９，６０の寸法（幅寸法）が３０ｃｍ未満であって、両側縁部６１，６２の寸法（長さ寸法）が３０ｃｍ未満では、天板４９の面積が小さくなり、天板４９が被検査者１７の腹部を含む下半身を隠すことができず、被検査者１７から放射される放射線を遮蔽することが難しい。放射線遮蔽天板４９の前後端部５９，６０の寸法が７０ｃｍを超過し、両側縁部６１，６２の寸法が５０ｃｍを超過すると、天板４９の面積が必要以上に大きくなり、天板４９が放射性薬剤の投与作業の障害となる場合がある。鉛板の厚みが３ｍｍ未満または放射線遮蔽ガラス６３の厚みが４ｍｍ未満では、放射線遮蔽天板４９によって放射線を確実に遮蔽することができない場合がある。鉛板の厚みが５ｍｍを超過すると、注射台１２の重量が増し、注射台１２を円滑に移動させることができない場合がある。
【００６０】
放射線遮蔽側板５０は、被検査者１７の前方に設置される（図１２参照）。放射線遮蔽側板５０は、垂直柱５４および補強脚５５と天板４８の中間部分とに固定手段（溶接やボルト締め等）を介して固定され、天板４８の中間部分から下方へ延びている。放射線遮蔽側板５０は、所定の面積を有する上下方向へ長い矩形に成型され、幅方向へ延びる上下端部６４，６５と、上下方向へ延びる両側縁部６６，６７とを有する。
【００６１】
放射線遮蔽側板５０は、幅方向へ長い矩形の鉛板（図示せず）と、鉛板の全体を包被するステンレス製のカバー板６８とから作られている。または、放射線遮蔽ガラス６８（鉛ガラス）から作られている。放射線遮蔽側板５０は、上下端部６４，６５の寸法（幅寸法）が放射線遮蔽天板４９のそれらと同一であり、３０〜７０ｃｍの範囲にあり、両側縁部６６，６７の寸法（高さ寸法）が５０〜８０ｃｍの範囲にある。鉛板は、その厚みが３〜５ｍｍの範囲、好ましくは、３ｍｍである。放射線遮蔽ガラス６８は、その厚みが４〜６ｍｍの範囲にある。
【００６２】
放射線遮蔽側板５０の上下端部６４，６５の寸法（幅寸法）が３０ｃｍ未満であって、両側縁部６６，６７の寸法（高さ寸法）が５０ｃｍ未満では、側板５０の面積が小さくなり、側板５０が被検査者１７の腹部を含む下半身を隠すことができず、被検査者１７から放射される放射線を遮蔽することが難しい。鉛板の厚みが３ｍｍ未満または放射線遮蔽ガラス６８の厚みが４ｍｍ未満では、側板５０によって放射線を確実に遮蔽することができない場合がある。鉛板の厚みが５ｍｍを超過すると、注射台１２の重量が増し、注射台１２を円滑に移動させることができない場合がある。
【００６３】
シート５１は、放射線遮蔽天板４９の上面に交換可能に載置される。シート５１には、親水性繊維不織布、織物、編み物、親水性の紙が使用される。シート５１は、放射線遮蔽天板４９に誤って放射性薬剤がこぼれた場合、その放射性薬剤を吸い取り、天板４９を清潔に保持する。繊維不織布としては、親水処理が施されたケミカルボンド不織布、サーマルボンド不織布、エアレイド不織布、スパンボンド不織布、メルトブロー不織布、スパンレース不織布、ニードルパンチ不織布、ステッチボンド不織布を例示することができる。
【００６４】
フレーム５２は、ステンレスから作られ、その平面形状が幅方向へ長い矩形に成型されている。フレーム５２は、放射線遮蔽天板４９の側縁部６１（一側縁部）に蝶番６９（旋回手段）を介して設置されている。フレーム５２は、図１０に矢印で示すように、蝶番６９（側縁部６１）を中心に放射線遮蔽天板４９の上面から上方へ旋回させることが可能である。
【００６５】
注射台１２では、フレーム５２を放射線遮蔽天板４９の上面から上方へ旋回させ、天板４９の上面にシート５１を載せた後、フレーム５２を天板４９の上面に向かって下方へ旋回させる。フレーム５２を放射線遮蔽天板４９の上面に向かって旋回させると、図１１に示すように、フレーム５２が天板４９の前後端部５９，６０および両側縁部６１，６２（周縁部）に当接し、フレーム５２によってシート５１が押さえられる。シート５１は、放射線遮蔽天板４９の前後端部５９，６０および両側縁部６１，６２とフレーム５２とに挟まれた状態で天板４９の上面に固定される。シート５１を放射線遮蔽天板４９の上面から取り外すには、フレーム５２を天板４９の上方へ旋回させ、フレーム５２によるシート５１の押さえを解除する。
【００６６】
図１２は、放射性薬剤の投与作業の準備の説明図であり、図１３は、放射性薬剤の投与作業の一例を説明する図である。なお、放射性薬剤としてＦＤＧ注射液を被検査者に投与する場合を例として投与作業を説明する。ＦＤＧ注射液を被検査者１７に投与する場合、施術者１８は、注射台１２のフレーム５２を放射線遮蔽天板４９の上面から上方へ旋回させ、天板４９の上面に新しいシート５１を載せる。放射線遮蔽天板４９の上面にシート５１を載せた後、フレーム５２を天板４９の上面に向かって下方へ旋回させ、フレーム５２によってシート５１を天板４９の上面に固定する。
【００６７】
施術者１８は、キャスター５８を利用して注射台１２を被検査者１７が座る椅子５３に近づける。施術者１８は、フロアストッパー２２のロック用レバー２６を足で踏み込んでレバー２６を下方へ下げ、設置金具２５（ラバー２９）を路面３０に接地させてキャスター５８による注射台１２の移動を停止させる。なお、キャスター５８に設置されたストッパーを利用してキャスター５８の車輪の回転を止める。
【００６８】
被検査者１７は、図１２に示すように、注射台１２の放射線遮蔽側板５０の反対側に配置された椅子５３に腰掛ける。被検査者１７が椅子５３に腰掛けた場合、注射台１２をその正面（放射線遮蔽側板５０の前方）から見ると、被検査者１７の腹部を含む下半身が注射台１２の放射線遮蔽天板４９と放射線遮蔽側板５０とに隠れる。次に、施術者１８は、屏障台１１の放射線遮蔽衝立１５によって自分の上半身が隠れるように、スポークハンドル３４を回転させてシャフト３３の上下方向の高さを調節し、それによって衝立１５の高さを調節する。
【００６９】
なお、放射線遮蔽衝立１５が鉛板とカバー板４３とから作られている場合、衝立１５によって施術者１８の頭部を除く上半身が隠れ、衝立１５が放射線遮蔽ガラス４３から作られている場合、衝立１５によって施術者１８の頭部を含む上半身全体が隠れる。放射線遮蔽衝立１５の高さを調整した後、セットカラー３５のボルト３６を締め、シャフト３３の位置を固定し、衝立１５の高さを固定する。施術者１８は、放射線遮蔽衝立１５の高さを調節した後、キャスター２１を利用して屏障具１１を注射台１２に近づける。なお、屏障具１１の物置台１６Ａ，１６Ｂには、チューブや注射針、消毒剤等の投与作業に必要な医療用具が置かれる。
【００７０】
施術者１８は、テーブル金具４４のロック解除ボタンを押してロック機構を解除し、第１物置台１６Ａを下方へ向かって旋回させ、物置台１６Ａを畳む。屏障具１１の脚部２０の一部を注射台１２の下に進入させ、屏障具１１の支持部材１４（放射線遮蔽衝立１５）を注射台１２の放射線遮蔽測板５０の近傍に位置させた後、フロアストッパー２２のロック用レバー２６を足で踏み込んでレバー２６を下方へ下げ、設置金具２５（ラバー２９）を路面３０に接地させてキャスター２１による屏障具１１の移動を停止させる。なお、キャスター２１に設置されたストッパーを利用してキャスター２１の車輪の回転を止める。
【００７１】
被検査者１７と施術者１８とは、図１３に示すように、注射台１２と屏障具１１とを挟んで対向する。したがって、施術者１８から被検査者１７を見ると、被検査者１７の胸部と頭部とが屏障具１１の放射線遮蔽衝立１５に隠れ、被検査者１７の腹部を含む下半身が注射台１２の放射線遮蔽天板４９と放射線遮蔽側板５０とに隠れる。逆に、被検査者１７から施術者１８を見ると、施術者１８の下半身が注射台１２の放射線遮蔽側板５０に隠れ、施術者１８の頭部を除く上半身または頭部を含む上半身が屏障具１１の放射線遮蔽衝立１５に隠れる。
【００７２】
施術者１８は、鉛ケース（図示せず）に収容されたＦＤＧ注射液をケースからオートインジェクター（自動注入器）（図示せず）に移し、オートインジェクターにチューブをつなげるとともに、チューブに注射針を取り付け、ＦＤＧ注射の準備をする。ＦＤＧ注射の準備が完了した後、施術者１８は、テーブル金具４４のロック解除ボタンを押してロック機構を解除し、第２物置台１６Ｂを下方へ向かって旋回させ、物置台１６Ｂを畳む。ＦＤＧ注射の準備ができると、被検査者１７は自分の腕を注射台１２の放射線遮蔽天板４９（シート５１）の上に乗せる。施術者１８は、屏障具１１の放射線遮蔽衝立１５に隠れた状態で被検査者１７の腕の静脈に注射針を刺し、オートインジェクターのスイッチをＯＮにした後、屏障具１１を残した状態で被検査者１７から離れるか、または、屏障具１１を残した状態でその場で所定時間待機する。
【００７３】
オートインジェクターのスイッチをＯＮにすると、ＦＤＧ注射液がオートインジェクターから注射針を介して被検査者１７の静脈に注入される。なお、ＦＤＧの注射時や注射後では、被検査者１７の全身から放射線が放射される。施術者１８は、オートインジェクターのスイッチをＯＮにしてから３０〜４０秒が経過した後、屏障具１１の放射線遮蔽衝立１５に隠れた状態でオートインジェクターのスイッチをＯＦＦにし、注射針を被検査者１７の腕から抜き取る。次に、施術者１８は、チューブをオートインジェクターから取り外し、注射針とともにチューブをビニール袋に収納する。施術者１８は、第２物置台１６Ｂを上方に旋回させて物置台１６Ｂを水平にし、その物置台１６Ｂにオートインジェクターやビニール袋を置く。
【００７４】
施術者１８は、フロアストッパー２２の解除用レバー２７を足で踏み込んでレバー２７を下方へ下げ、設置金具２５（ラバー２９）による路面３０のグリップを解除するとともに、キャスター２１のストッパーを解除し、屏障台１１を移動可能にし、フロアストッパー２２の解除用レバー２７を足で踏み込んでレバー２７を下方へ下げ、設置金具２５（ラバー２９）による路面３０のグリップを解除するとともに、キャスター５８のストッパーを解除し、注射台１２を移動可能にする。施術者１８は、キャスター２１，５８を利用して屏障具１１および注射台１２を移動させ、屏障具１１や注射台１２とともに被検査者１７から離れる。
【００７５】
施術者１８は、被検査者１７から離れた後、注射台１２のフレーム５２を放射線遮蔽天板４９の上方へ旋回させ、フレーム５２によるシート５１の押さえを解除し、古いシート５１を天板４９から取り外し、新しいシート５１を天板４７の上面に載せ、フレーム５２を天板４９の上面に向かって下方へ旋回させ、フレーム５２によってシート５１を天板４９の上面に固定する。施術者１８は、再び屏障台１１と注射台１２とを次の被検査者１７の近くに移動させ、ＦＤＧ注射液を被検査者１７に投与する。
【００７６】
放射線防護設備１０Ａは、屏障台１１と注射代１２とを利用し、屏障台１１および注射代１２を被検査者１７の近傍に移動させ、注射台１２を利用して施術者１８が被検査者１７に放射性薬剤（たとえば、ＦＤＧ）を投与する場合、放射性薬剤の注射時や投与後の注射針の抜針時等の薬剤投与作業において被検査者１７から放射される放射線が屏障台１１の放射線遮蔽衝立１５によって遮蔽されるとともに、注射台１２の放射線遮蔽天板４９や放射線遮蔽側板５０によって遮蔽されるから、被検査者１７から放射される放射線に施術者１８が曝露されることはなく、施術者１８の被爆を防ぐことができる。放射線防護設備１０Ａは、施術者１８が注射針の抜針のために被検査者１７に近づくときに、被検査者１７から放射される放射線を防御しつつ被検査者１７に近づくことができ、抜針の後に被検査者１７から放射される放射線を防御しつつ被検査者１７から離れることができる。
【００７７】
放射線防護設備１０Ａは、こぼれた放射性薬剤を吸い取るシート５１が注射台１２の放射線遮蔽天板４９の上面に交換可能に設置され、そのシート５１がフレーム５２によって天板４９の上面に固定されるから、放射性薬剤の投与作業時に薬剤が誤って天板４９にこぼれたとしても、その薬剤をシート５１に吸収させることができる。放射線防護設備１０Ａは、フレーム５２を放射線遮蔽天板４９の上面から上方へ旋回させ、フレーム５２によるシート５１の固定を解除した後、放射性薬剤を吸収したシート５１を新しいそれに交換することができ、天板４９を薬剤によって汚染されていない清潔な状態で使用することができる。放射線防護設備１０Ａは、注射台１２の放射線遮蔽天板４９に誤って放射性薬剤をこぼしたとしても、薬剤を吸収したシート５１を交換することで、天板４９を清潔に保持することができるから、天板４９にこぼれた薬剤による被検査者１７や施術者１８の放射線の被曝を防ぐことができる。
【００７８】
放射線防護設備１０Ａは、シャフト３３（支持部材１４）がスクリュージャッキ（昇降機構）を介して上下方向へ移動し、施術者１８の身長に合わせて放射線遮蔽衝立１５の高さを調節することができるから、衝立１５を利用して施術者１８を隠すことができ、被検査者１７から放射される放射線による施術者１８の被爆を確実に防ぐことができる。放射線遮蔽衝立１５が放射線遮蔽ガラス４３から作られている場合、放射線遮蔽ガラス４３によって施術者１８の頭部を含む上半身全体が隠れたとしても、施術者１８がガラス４３越しに被検査者１７や注射台１２を見ることができ、放射性薬剤の投与作業を支障なく行うことができる。また、施術者１７の頭部を含む上半身全体を放射線から遮蔽することができ、放射性薬剤の注射時や投与後の注射針の抜針時等の薬剤投与作業に被検査者１７の全身から放射される放射線に施術者１８の上半身全体が曝露されることはなく、施術者１８の被爆を確実に防ぐことができる。
【００７９】
放射線防護設備１０Ａは、注射台１２がキャスター５８を備えた台座４７を有し、キャスター５８を利用して注射台１２を自由に移動させることができるから、１台の注射台１２を別々の被検査者１７の近傍に移動させつつ、それら被検査者１７に対して放射性薬剤の投与作業を行うことができる。放射線防護設備１０Ａは、施術者１８が注射針の抜針のために被検査者１７に近寄るときに、注射台１２を利用して被検査者１７から放射される放射線を防御しつつ被検査者１７に近づくことができ、抜針の後に注射台１２を利用して被検査者１７から放射される放射線を防御しつつ被検査者１７から離れることができる。
【００８０】
放射線防護設備１０Ａは、屏障具１１がキャスター２１を備えた台座１３を有し、キャスター２１を利用して屏障具１１を自由に移動させることができるから、屏障具１１を被検査者１７から最適な距離に移動させることができる。放射線防護設備１０Ａは、検査に必要な医療用具を物置台１６Ａ，１６Ｂに置くことができるから、放射性薬剤の注射時や投与後の注射針の抜針時等の薬剤投与作業にそれら医療用具を利用することができ、物置台１６Ａ，１６Ｂに置かれた医療用具を使用して注射や抜針を円滑に行うことができる。放射線防護設備１０Ａは、物置台１６Ａ，１６Ｂを支持部材１４の下端部へ旋回させることができるから、物置台１６Ａ，１６Ｂの非利用時に物置台１６Ａ，１６Ｂを畳むことができ、注射時や抜針時に物置台１６Ａ，１６Ｂが邪魔をすることはなく、注射や抜針を円滑に行うことができる。
【００８１】
放射線防護設備１０Ａは、フロアストッパー２２を利用して屏障具１１や注射台１２を被検査者１７の近傍において停止させることができ、放射性薬剤の注射時や投与後の注射針の抜針時等の薬剤投与作業における屏障具１１や注射台１２の不用意な移動を防止することができる。放射線防護設備１０Ａは、フロアストッパー２２によって屏障具１１や注射台１２の動きを止めた状態で、放射性薬剤の注射や注射針の抜針を行うことができるから、被検査者１７の安全を保持しつつ放射性薬剤の投与作業を行うことができる。
【００８２】
図１４は、他の一例として示す放射線防護設備１０Ｂの斜視図であり、図１５は、図１４の放射線防護設備１０Ｂの側面図である。図１４では、上下方向を矢印Ｌ、前後方向を矢印Ｍで示し、幅方向を矢印Ｎで示す。この放射線防護設備１０Ｂは、注射台１２と、注射台１２を挟んで被検査者１７の反対側に位置する屏障具１１とから構成されている。放射線防護設備１０Ｂでは、屏障具１１と注射台１２とが台座７０に設置され、屏障具１１と注射台１２とが一体になっている。
【００８３】
台座７０は、上下方向へ延びるステンレス製の４本の支持脚７１と、前後方向へ延びるステンレス製の２本の補強脚７２と、幅方向へ延びるステンレス製の１本の取付脚７３と、支持脚７１や補強脚７２に取り付けられたキャスター７４とから作られている。キャスター７４は、取付ボルトを介してそれら脚７１，７２に回転可能に取り付けられている。放射線防護設備１０Ｂは、キャスター７４を介して自由に移動させることができる。なお、図示はしていないが、キャスター７４には、車輪の回転を停止させるストッパーが設置されている。台座７０の取付脚７３の中央には、放射線防護設備１０Ｂの動きを停止させるストッパー２２が設置されている。ストッパー２２には、フロアストッパー２２が利用されている（図５，６参照）。フロアストッパー２２は図５，６に示すそれと同一であるから、図５，６の説明を援用することで、その説明は省略する。
【００８４】
注射台１２は、ステンレス製の天板４８と、放射線遮蔽天板４９および放射線遮蔽側板５０とから形成されている。注射台１２は、屏障具１１を挟んで被検査者１７と施術者１８との間に位置している。注射台１２では、放射線遮蔽天板４９と放射線遮蔽側板５０とが椅子５３に腰掛けた被検査者１７の腹部を含む下半身から放射される放射線を遮蔽するＬ字形の放射線バリアを形成している（図１５参照）。
【００８５】
天板４８は、各脚注７１に固定手段（溶接やボルト締め等）を介して固定されている。放射線遮蔽天板４９は、天板４８の上部に固定手段（溶接やボルト締め等）を介して固定され、前後方向へ延びている。放射線遮蔽天板４９は、所定の面積を有する幅方向へ長い矩形に成型され、幅方向へ延びる前後端部５９，６０と、前後方向へ延びる両側縁部６１，６２とを有する。放射線遮蔽天板４９は、幅方向へ長い矩形の鉛板（図示せず）と、鉛板の全体を包被するステンレス製のカバー板６３とから作られている。または、放射線遮蔽ガラス６３（鉛ガラス）から作られている。放射線遮蔽天板４９は、前後端部５９，６０の寸法（幅寸法）が後記する放射線遮蔽衝立１５の上下端部３９，４０の寸法（幅寸法）よりも大きい。放射線遮蔽天板４９の前後端部５９，６０の寸法や両側縁部６１，６２の寸法（長さ寸法）、鉛板の厚みや放射線遮蔽ガラス６３の厚みは、図２の注射台１２のそれらと同一である。
【００８６】
放射線遮蔽側板５０は、放射線遮蔽天板４９を挟んで被検査者１７の反対側に設置される（図１５参照）。放射線遮蔽側板５０は、脚柱７１および天板４８と天板４９の前端部５９とに固定手段（溶接やボルト締め等）を介して固定され、天板４９の前端部５９から下方へ延びている。放射線遮蔽側板５０は、所定の面積を有する上下方向へ長い矩形に成型され、幅方向へ延びる上下端部６４，６５と、上下方向へ延びる両側縁部６６，６７とを有する。放射線遮蔽側板５０は、幅方向へ長い矩形の鉛板（図示せず）と、鉛板の全体を包被するステンレス製のカバー板６８とから作られている。または、放射線遮蔽ガラス６８（鉛ガラス）から作られている。放射線遮蔽側板５０は、上下端部６４，６５の寸法（幅寸法）が放射線遮蔽衝立１５の上下端部３９，４０の寸法（幅寸法）よりも大きい。放射線遮蔽側板５０の上下端部６４，６５の寸法や両側縁部６６，６７の寸法（高さ寸法）、鉛板の厚み放射線遮蔽ガラス６８の厚みは、図２の注射台１２のそれらと同一である。
【００８７】
屏障具１１は、支持部材１４と、放射線遮蔽衝立１５および物置台１６とから形成され、注射台１２を挟んで被検査者１７と施術者１８との間に位置している（図１５参照）。支持部材１４は、固定手段（溶接やボルト締め等）を介して台座７０の取付脚７３の中央に固定されている。支持部材１４は、取付脚７３の直上に設置された筒状の金属製筐体３１と、筐体３１の直上に設置された上下方向へ長い金属製筒体３２と、筐体３１および筒体３２に挿通された金属製シャフト３３とから形成されている。筐体３１には、既存のスクリュージャッキ（昇降機構）が内蔵され、スクリュージャッキを作動させるスポークハンドル３４が取り付けられている。支持部材１４を形成する筐体３１や筒体３２、シャフト３３、スクリュージャッキは、図１の屏障具１１のそれらと同一であるから、図１の屏障具１１におけるそれらと同一の符号を付すとともに、図１の説明を援用することで、その詳細な説明は省略する。
【００８８】
放射線遮蔽衝立１５は、シャフト３３の上端部に設置され、シャフト３３の上端部から上方へ延びている。放射線遮蔽衝立１５は、シャフト３３の上端部に設置された取付台３７の中央に固定手段（溶接やボルト締め等）を介して固定され、取付台３７の幅方向両側から上方へ延びる三角形の２枚の支持板３８に支持されている。放射線遮蔽衝立１５は、所定の面積を有する上下方向へ長い矩形に成型され、幅方向へ延びる上下端部３９，４０と、上下方向へ延びる両側縁部４１，４２とを有する。放射線遮蔽衝立１５は、上下方向へ長い矩形の鉛板（図示せず）と、鉛板の全体を包被するステンレス製のカバー板４３とから作られている。または、放射線遮蔽ガラス４３（鉛ガラス）から作られている。放射線遮蔽衝立１５は、両側縁部４１，４２の寸法（高さ寸法）や上下端部３９，４０の寸法（幅寸法）、鉛板の厚みや放射線遮蔽ガラス４３の厚みは、図１の衝立１５のそれらと同一である。
【００８９】
物置台１６（可倒テーブル）は、シャフト３３（支持部材１４）の上端部に設置され、放射線遮蔽衝立１５の前後方向後方へ延びている。物置台１６は、その幅寸法が放射線遮蔽衝立１５の上下端部３９，４０の寸法（幅寸法）と略同一であり、テーブル金具４４（旋回手段）を利用して支持部材１４の上端部から下端部に向かって旋回させることができる。物置台１６は図１の屏障具１１のそれと同一であるから、図１の屏障具１１におけるそれと同一の符号を付すとともに、図１の説明を援用することで、その詳細な説明は省略する。また、テーブル金具４４は図１の屏障具１１のそれと同一であるから、図１の屏障具１１におけるそれと同一の符号を付すとともに、図１の説明を援用することで、その詳細な説明は省略する。
【００９０】
図１６は、放射性薬剤の投与作業の一例を説明する図である。なお、放射性薬剤としてＦＤＧ注射液を被検査者に投与する場合を例として投与作業を説明する。最初に施術者１８は、放射線遮蔽衝立１５によって自分の上半身が隠れるように、スポークハンドル３４を回転させてシャフト３３の上下方向の高さを調節し、それによって衝立１５の高さを調節した後、セットカラー３５のボルト３６を締め、シャフト３３の位置を固定し、衝立１５の高さを固定する。施術者１８は、キャスター７４を利用して放射線防護設備１０Ｂを投与場所に移動させた後、フロアストッパー２２のロック用レバー２６を足で踏み込んでレバー２６を下方へ下げ、設置金具２５（ラバー２９）を路面３０に接地させてキャスター２１による放射線防護設備１０Ｂの移動を停止させる（図６参照）。なお、キャスター７４に設置されたストッパーを利用してキャスター７４の車輪の回転を止める。
【００９１】
被検査者１７は、図１６に示すように、注射台１２の放射線遮蔽側板５０の反対側に配置された椅子５３に腰掛ける。被検査者１７が椅子５３に腰掛けた場合、注射台１２をその正面（放射線遮蔽側板５０の前方）から見ると、被検査者１７の腹部を含む下半身が注射台１２の放射線遮蔽天板４９と放射線遮蔽側板５０とに隠れる。放射線遮蔽衝立１５が鉛板とカバー板４３とから作られている場合、衝立１５によって施術者１８の頭部を除く上半身が隠れ、衝立１５が放射線遮蔽ガラス４３から作られている場合、衝立１５によって施術者１８の頭部を含む上半身全体が隠れる。
【００９２】
施術者１８は、鉛ケース（図示せず）に収容されたＦＤＧ注射液をケースからオートインジェクター（自動注入器）（図示せず）に移し、オートインジェクターにチューブをつなげるとともに、チューブに注射針を取り付け、ＦＤＧ注射の準備をする。ＦＤＧ注射の準備が完了した後、施術者１８は、テーブル金具４４のロック解除ボタンを押してロック機構を解除し、物置台１６を下方へ向かって旋回させ、物置台１６を畳む。ＦＤＧ注射の準備ができると、被検査者１７は自分の腕を注射台の放射線遮蔽天板４９の上に乗せる。施術者１８は、屏障具１１の放射線遮蔽衝立１５に隠れた状態で被検査者１７の腕の静脈に注射針を刺し、オートインジェクターのスイッチをＯＮにした後、放射線防護設備１０Ｂを残した状態で被検査者１７から離れるか、または、放射線防護設備１０Ｂを残した状態でその場で所定時間待機する。
【００９３】
施術者１８は、オートインジェクターのスイッチをＯＮにしてから３０〜４０秒が経過した後、屏障具１１の放射線遮蔽衝立１５に隠れた状態でオートインジェクターのスイッチをＯＦＦにし、注射針を被検査者１７の腕から抜き取る。次に、施術者１８は、チューブをオートインジェクターから取り外し、注射針とともにチューブをビニール袋に収納する。施術者１８は、物置台１６を上方に旋回させて物置台１６を水平にし、その物置台１６にオートインジェクターやビニール袋を置く。施術者１８は、フロアストッパー２２の解除用レバー２７を足で踏み込んでレバー２７を下方へ下げ、設置金具２５（ラバー２９）による路面３０のグリップを解除するとともに、キャスター２１のストッパーを解除し、キャスター２１を利用して放射線防護設備１０Ｂを移動させ、放射線防護設備１０Ｂとともに被検査者１７から離れる。
【００９４】
放射線防護設備１０Ｂは、注射台１２を利用して施術者１８が被検査者１７に放射性薬剤（たとえば、ＦＤＧ）を投与する場合、放射性薬剤の注射時や投与後の注射針の抜針時に被検査者１７から放射される放射線が放射線遮蔽衝立１５によって遮蔽されるとともに、注射台１２の放射線遮蔽天板４９や放射線遮蔽側板５０によって遮蔽されるから、被検査者１７から放射される放射線に施術者１８が曝露されることはなく、施術者１８の被爆を防ぐことができる。放射線防護設備１０Ｂは、施術者１８が注射針の抜針のために被検査者１７に近づくときに、被検査者１７から放射される放射線を防御しつつ被検査者１７に近づくことができ、抜針の後に被検査者１７から放射される放射線を防御しつつ被検査者１７から離れることができる。
【００９５】
放射線防護設備１０Ｂは、図１，２に示す放射線防護設備１０Ａが有するその他の効果に加え、以下の効果を有する。放射線防護設備１０Ｂは、注射台１２と屏障具１１とが台座７０を介して一体となり、キャスター７４を利用して屏障具１１および注射台１２を同時に移動させることができるから、屏障具１１と注射台１２とを別々に被検査者１７の近傍に移動させる手間を省くことができ、放射性薬剤の投与作業を容易かつ円滑に行うことができる。
【符号の説明】
【００９６】
１０Ａ  放射線防護設備  １０Ｂ  放射線防護設備
１１    屏障具
１２    注射台
１３    台座
１４    支持部材
１５    放射線遮蔽衝立
１６    物置台
１６Ａ  第１物置台
１６Ｂ  第２物置台
１７    被検査者
１８    施術者
２１    キャスター
２２    フロアストッパー
３３    シャフト
３９    上端部
４０    下端部
４１    側縁部
４２    側縁部
４３    カバー板
４３    放射線遮蔽ガラス
４４    テーブル金具（旋回手段）
４７    台座
４９    放射線遮蔽天板
５０    放射線遮蔽側板
５１    シート
５２    フレーム
５８    キャスター
５９    前端部
６０    後端部
６１    側縁部
６２    側縁部
６３    カバー板
６３    放射線遮蔽ガラス
６４    上端部
６５    下端部
６６    側縁部
６７    側縁部
６８    カバー板
６８    放射線遮蔽ガラス
６９    蝶番（旋回手段）
７０    台座
７４    キャスター
【図１】
2013015369.tif 000003
【図２】
2013015369.tif 000004
【図３】
2013015369.tif 000005
【図４】
2013015369.tif 000006
【図５】
2013015369.tif 000007
【図６】
2013015369.tif 000008
【図７】
2013015369.tif 000009
【図８】
2013015369.tif 000010
【図９】
2013015369.tif 000011
【図１０】
2013015369.tif 000012
【図１１】
2013015369.tif 000013
【図１２】
2013015369.tif 000014
【図１３】
2013015369.tif 000015
【図１４】
2013015369.tif 000016
【図１５】
2013015369.tif 000017
【図１６】
2013015369.tif 000018